(57)【要約】【課題】居室親機のモニタに表示される背景画面を住戸内の在室中の居住者により任意に設定変更可能とし、モニタの視認性を高める。【解決手段】制御装置３により制御される集合玄関機１および居室親機２ａ、２ｂ、・・・２ｎのうち、居室親機のモニタ１２に表示される背景画面は、住戸内の在室中の居住者による操作部１１の操作を検出したＣＰＵ１４の制御により背景画面蓄積部１３から読み出される任意の背景画面へと設定変更できる。また、モニタの起動時には、操作部の操作により予め選択された背景画面で構成される呼出音量、輝度等の各種設定を行うためのメニュー画面をＣＰＵの制御により当該モニタに表示させることができる。【選択図】  図１
2004247833.tif 000002
【特許請求の範囲】
【請求項１】
集合住宅のエントランスに設置され、来訪者が居住者を呼び出すための集合玄関機（１）と、住戸内に設置され、呼出音量、輝度等の各種設定を行うために表示されるメニュー画面および前記来訪者の映像を表示するためのモニタ（１２）を有する居室親機（２ａ、２ｂ、・・・２ｎ）と、前記集合玄関機および前記居室親機を制御するための制御装置（３）とを備え、
前記居室親機は、前記呼出音量、輝度等の各種設定を行うための操作部（１１）と、前記モニタに表示される複数の背景画面が蓄積される背景画面蓄積部（１３）と、前記背景画面蓄積部に蓄積された背景画面を前記操作部の操作により読み出して前記モニタに表示させるとともに、前記モニタの起動時には、予め選択した前記背景画面で構成されたメニュー画面を表示させるためのＣＰＵ（１４）とを有することを特徴とする集合住宅インターホンシステム。
【請求項２】
集合住宅のエントランスに設置され、来訪者が居住者を呼び出すための集合玄関機（５１）と、住戸内に設置され、呼出音量、輝度等の各種設定を行うために表示されるメニュー画面および前記来訪者の映像を表示するためのモニタ（６２）を有する居室親機（５２ａ、５２ｂ、・・・５２ｎ）と、前記集合玄関機および前記居室親機を制御するための制御装置（５３）とを備え、
前記制御装置は、前記居室親機の前記モニタに表示される複数の背景画面が蓄積される背景画面蓄積部（７１）を有し、
前記居室親機は、前記呼出音量、輝度等の各種設定を行うための操作部（６１）と、前記制御装置の背景画面蓄積部に蓄積された背景画面を前記操作部の操作により読み出して前記モニタに表示させるとともに、前記モニタの起動時には、予め選択した前記背景画面で構成されたメニュー画面を表示させるためのＣＰＵ（６３）とを有することを特徴とする集合住宅インターホンシステム。
【発明の詳細な説明】
【０００１】
【発明の属する技術分野】
本発明は集合住宅インターホンシステムに係り、特に、居室親機のモニタに表示される背景画面を任意の背景画面へと設定変更できる集合住宅インターホンシステムに関する。
【０００２】
【従来の技術】
従来から、この種の集合住宅インターホンシステムとして、集合玄関機等が呼び出した居室端末等から他の部屋番号の居室親機、管理室親機、または共用施設に呼び出しを転送可能な集合住宅インターホンシステムが提案／開示されている（例えば、特許文献１参照）。
【０００３】
従来例の集合住宅インターホンシステムによれば、他の住戸、管理室、または共用施設に居る住居人等も集合玄関機からの呼び出しが可能となるばかりでなく、他の住戸または共用施設に居る住居人等も管理室親機からの呼び出しが可能であった。
【０００４】
【特許文献１】特開２００２−２６１９４６号公報（段落番号０００１、００１４、００４５）。
【０００５】
【発明が解決しようとする課題】
しかしながら、従来例の集合住宅インターホンシステムにおいて、各住戸内に設置される居室親機の操作部は、訪問／使用先データの入力、共用施設の予約等を行う機能を備えている、一方、当該操作部により入力された訪問／使用先データ、共用施設の予約等の状態を表示する表示部（モニタ）の背景画面を任意に設定変更するための機能は備えられていないことから、各住戸内に在室中の居住者が色の判別が困難な例えば、色弱等の居住者であると、背景画面の色により表示部全体が見難くなる虞があった。
【０００６】
本発明は、上述の難点を解消するためになされたもので、居室親機のモニタに表示される背景画面を住戸内の在室中の居住者により任意に設定変更可能とし、モニタの視認性を高めた集合住宅インターホンシステムを提供することを目的としている。
【０００７】
【課題を解決するための手段】
上述の目的を達成するため、本発明の集合住宅インターホンシステムは、集合住宅のエントランスに設置され、来訪者が居住者を呼び出すための集合玄関機と、住戸内に設置され、呼出音量、輝度等の各種設定を行うために表示されるメニュー画面および来訪者の映像を表示するためのモニタを有する居室親機と、集合玄関機および居室親機を制御するための制御装置とを備えたものである。居室親機は、呼出音量、輝度等の各種設定を行うための操作部と、モニタに表示される複数の背景画面が蓄積される背景画面蓄積部と、背景画面蓄積部に蓄積された背景画面を操作部の操作により読み出してモニタに表示させるとともに、モニタの起動時には、予め選択した背景画面で構成されたメニュー画面を表示させるためのＣＰＵとを有する。
【０００８】
このような集合住宅インターホンシステムによれば、制御装置により制御される集合玄関機および居室親機のうち、居室親機のモニタに表示される背景画面は、住戸内の在室中の居住者による操作部の操作を検出したＣＰＵの制御により背景画面蓄積部から読み出される任意の背景画面へと設定変更できる。また、モニタの起動時には、操作部の操作により予め選択された背景画面で構成される呼出音量、輝度等の各種設定を行うためのメニュー画面をＣＰＵの制御により当該モニタに表示させることができる。
【０００９】
また、本発明の集合住宅インターホンシステムは、集合住宅のエントランスに設置され、来訪者が居住者を呼び出すための集合玄関機と、住戸内に設置され、呼出音量、輝度等の各種設定を行うために表示されるメニュー画面および来訪者の映像を表示するためのモニタを有する居室親機と、集合玄関機および前記居室親機を制御するための制御装置とを備えたものである。制御装置は、居室親機のモニタに表示される複数の背景画面が蓄積される背景画面蓄積部を有する。居室親機は、呼出音量、輝度等の各種設定を行うための操作部と、制御装置の背景画面蓄積部に蓄積された背景画面を前記操作部の操作により読み出してモニタに表示させるとともに、モニタの起動時には、予め選択した背景画面で構成されたメニュー画面を表示させるためのＣＰＵとを有する。
【００１０】
このような集合住宅インターホンシステムによれば、制御装置により制御される集合玄関機および居室親機のうち、居室親機のモニタに表示される背景画面は、住戸内の在室中の居住者による操作部の操作を検出したＣＰＵの制御により制御装置の背景画面蓄積部から読み出される任意の背景画面へと設定変更できる。また、モニタの起動時には、操作部の操作により予め選択された背景画面で構成される呼出音量、輝度等の各種設定を行うためのメニュー画面をＣＰＵの制御により当該モニタに表示させることができる。
【００１１】
【発明の実施の形態】
以下、本発明の集合住宅インターホンシステムを適用した好ましい形態の実施例について、図面を参照して説明する。
【００１２】
図１は、本発明の第１の実施例による集合住宅インターホンシステムの構成を示すブロック図である。
【００１３】
図１のブロック図に示す集合住宅インターホンシステムは、集合住宅のエントランスに設置され、来訪者が特定の住戸内に在室中の居住者を呼び出して通話を行うとともに、当該来訪者の映像を撮影するための集合玄関機１と、集合住宅の各住戸内に設置され、来訪者からの呼び出しが映像の表示とともに報知され、これを確認した居住者が来訪者との間で通話を行うための居室親機２ａ、２ｂ、・・・２ｎと、玄関機ラインＬ１を介して接続された集合玄関機１および親機ラインＬ２を介してバス接続された居室親機２ａ、２ｂ、・・・２ｎを制御するための制御装置３とが備えられている。
【００１４】
また、居室親機２ａ、２ｂ、・・・２ｎはそれぞれ同様な構成であり、集合玄関機１にて呼出操作を行った来訪者からの呼び出しを報知するための呼出音が出力されるとともに、居住者が来訪者との間で通話を行うための送話音声、受話音声を入出力する音声回路１０と、音声回路１０から出力される呼出音の呼出音量および受話音声の音声量のレベル設定や後述するモニタ１２の輝度のレベル設定等の各種設定を行うための操作部、例えば、タッチパネルからなる操作部１１と、操作部１１にて各種設定を行うためのメニュー画面および集合玄関機１にて撮影された来訪者の映像を表示するためのモニタ１２と、モニタ１２に表示される複数の背景画面が蓄積される背景画面蓄積部１３と、当該居室親機の構成各部／回路を制御し、背景画面蓄積部１３に（予め）蓄積されている複数の背景画面から操作部１１の操作により選択された背景画面を読み出してモニタ１２に表示させるとともに、モニタ１２の起動時においては予め選択した背景画面で構成されたメニュー画面を表示させるためのＣＰＵ（以下、親機ＣＰＵという。）１４と、親機ＣＰＵ１４および親機ラインＬ２の間の信号伝送路（データ伝送路）を形成するための通信回路（以下、親機Ｉ／Ｆという。）１５とを有する。
【００１５】
さらに、制御装置３は、当該制御装置の構成各部／回路を制御するためのＣＰＵ（以下、制御装置ＣＰＵという。）２０と、制御装置ＣＰＵ２０および玄関機ラインＬ１の間の信号伝送路（データ伝送路）を形成するための通信回路（以下、玄関機側制御装置Ｉ／Ｆという。）２１と、制御装置ＣＰＵ２０および親機ラインＬ２の間の信号伝送路（データ伝送路）を形成するための通信回路（以下、親機側制御装置Ｉ／Ｆという。）２２とを有する。
【００１６】
このように構成された本発明の第１の実施例による集合住宅インターホンシステムにおいて、以下、具体的な動作について説明する。
【００１７】
なお、集合住宅のエントランスに居る来訪者が特定の住戸内に在室中の居住者を呼び出して通話を行うための動作、すなわち、集合玄関機１から特定の居室親機を呼び出して通話を行うための動作は、従来例の該当動作と同様であることにより説明は省略する。
【００１８】
図１のブロック図において、居室親機２ａ、２ｂ、・・・２ｎがそれぞれ設置された各住戸内に在室中の居住者のうち、ここでは、居室親機２ａが設置された住戸内に在室中の居住者が、当該居室親機のモニタ１２に表示されている背景画面を任意の背景画面へと設定変更するためには、操作部１１を操作して背景画面蓄積部１３に（予め）蓄積されている例えば、赤色、青色、黄色、白色、紫色等の複数の背景画面から任意の背景画面を選択する。また、居室親機２ａの親機ＣＰＵ１４は、操作部１１の操作により選択され背景画面蓄積部１３から読み出された背景画面をモニタ１２に表示させることができるとともに、モニタ１２の起動時において、予め選択された背景画面による上述のメニュー画面を当該モニタに表示させることができる。
【００１９】
上述のように、本発明の第１の実施例によれば、居室親機２ａ、２ｂ、・・・２ｎのモニタ１２に表示される背景画面を、住戸内の在室中の居住者により任意の背景画面へと設定変更できるばかりでなく、モニタ１２の起動時には、予め選択された背景画面で構成される上述のメニュー画面を当該モニタに表示させることができることから、色の判別が困難な例えば、色弱等の居住者であってもメニュー画面の確認が容易となり当該モニタの視認性が高められる。
【００２０】
次に、本発明の第１の実施例と同様な効果を奏する集合住宅インターホンシステムを、以下、本発明の第２の実施例による集合住宅インターホンシステムとして図面を参照して説明する。
【００２１】
図２は、本発明の第２の実施例による集合住宅インターホンシステムの構成を示すブロック図である。
【００２２】
図２のブロック図に示す集合住宅インターホンシステムは、集合住宅のエントランスに設置され、来訪者が特定の住戸内に在室中の居住者を呼び出して通話を行うとともに、当該来訪者の映像を撮影するための集合玄関機５１と、集合住宅の各住戸内に設置され、来訪者からの呼び出しが映像の表示とともに報知され、これを確認した居住者が来訪者との間で通話を行うための居室親機５２ａ、５２ｂ、・・・５２ｎと、玄関機ラインＬ５１を介して接続された集合玄関機５１および親機ラインＬ５２を介してバス接続された居室親機５２ａ、５２ｂ、・・・５２ｎを制御するための制御装置５３とが備えられている。
【００２３】
また、居室親機５２ａ、５２ｂ、・・・５２ｎはそれぞれ同様な構成であり、集合玄関機５１にて呼出操作を行った来訪者からの呼び出しを報知するための呼出音が出力されるとともに、居住者が来訪者との間で通話を行うための送話音声、受話音声を入出力する音声回路６０と、音声回路６０から出力される呼出音の呼出音量および受話音声の音声量のレベル設定や後述するモニタ６２の輝度のレベル設定等の各種設定を行うための操作部、例えば、タッチパネルからなる操作部６１と、操作部６１にて各種設定を行うためのメニュー画面および集合玄関機５１にて撮影された来訪者の映像を表示するためのモニタ６２と、当該居室親機の構成各部／回路を制御し、後述する制御装置５３の背景画面蓄積部７１に（予め）蓄積されている複数の背景画面から操作部６１の操作により選択された背景画面を読み出してモニタ６２に表示させるとともに、モニタ６２の起動時においては予め選択した背景画面で構成されたメニュー画面を表示させるためのＣＰＵ（以下、親機ＣＰＵという。）６３と、親機ＣＰＵ６３および親機ラインＬ５２の間の信号伝送路（データ伝送路）を形成するための通信回路（以下、親機Ｉ／Ｆという。）６４とを有する。
【００２４】
さらに、制御装置５３は、当該制御装置の構成各部／回路を制御するためのＣＰＵ（以下、制御装置ＣＰＵという。）７０と、居室親機５２ａ、５２ｂ、・・・５２ｎのモニタ６２に表示させる複数の背景画面が蓄積される背景画面蓄積部７１と、制御装置ＣＰＵ７０および玄関機ラインＬ５１の間の信号伝送路（データ伝送路）を形成するための通信回路（以下、玄関機側制御装置Ｉ／Ｆという。）７２と、制御装置ＣＰＵ７０および親機ラインＬ５２の間の信号伝送路（データ伝送路）を形成するための通信回路（以下、親機側制御装置Ｉ／Ｆという。）７３とを有する。
【００２５】
このように構成された本発明の第２の実施例による集合住宅インターホンシステムにおいて、以下、具体的な動作について説明する。
【００２６】
なお、上述の本発明の第１の実施例と同様、集合住宅のエントランスに居る来訪者が特定の住戸内に在室中の居住者を呼び出して通話を行うための動作、すなわち、集合玄関機５１から特定の居室親機を呼び出して通話を行うための動作は、従来例の該当動作と同様であることにより説明は省略する。
【００２７】
図２のブロック図において、居室親機５２ａ、５２ｂ、・・・５２ｎがそれぞれ設置された各住戸内に在室中の居住者のうち、ここでは、居室親機５２ａが設置された住戸内に在室中の居住者が、当該居室親機のモニタ６２に表示されている背景画面を任意の背景画面へと設定変更するためには、操作部６１を操作して制御装置５３の背景画面蓄積部７１に（予め）蓄積されている例えば、赤色、青色、黄色、白色、紫色等の複数の背景画面から任意の背景画面を選択する。また、居室親機５２ａの親機ＣＰＵ６３は、操作部６１の操作情報である選択された任意の背景画面を制御装置５３の背景画面蓄積部７１から読み出すための画面読出制御信号を親機Ｉ／Ｆ６４へと出力する。この画面読出制御信号は、親機Ｉ／Ｆ６４、親機ラインＬ５２、他の居室親機５２ｂ、・・・５２ｎの親機Ｉ／Ｆ６４を介して親機ＣＰＵ６３と、親機Ｉ／Ｆ６４、親機ラインＬ５２、制御装置５３の親機側制御装置Ｉ／Ｆ７３を介して制御装置ＣＰＵ７０とにそれぞれ伝送される。
【００２８】
なお、他の居室親機５２ｂ、・・・５２ｎの親機ＣＰＵ６３は、居室親機５２ａからの画面読出制御信号が制御装置５３からの信号でないことにより、当該画面読出制御信号が無効であるとそれぞれ判断する。
【００２９】
また、制御装置５３の制御装置ＣＰＵ７０は、居室親機５２ａからの画面読出制御信号が有効であると判断し、背景画面蓄積部７１に（予め）蓄積されている例えば、赤色、青色、黄色、白色、紫色等の複数の背景画面から当該画像読出制御信号により選択された背景画面を選択する。
【００３０】
また、制御装置５３の制御装置ＣＰＵ７０は、背景画面蓄積部７１から読み出された背景画面（のデータ）に当該データの送信先である居室親機５２ａに予め割り当てられている居室番号を付加させた画面データ信号を親機側制御装置Ｉ／Ｆ７３へと出力する。この画面データ信号は、親機側制御装置Ｉ／Ｆ７３、親機ラインＬ５２、居室親機５２ａ、５２ｂ、・・・５２ｎの親機Ｉ／Ｆ６４を介して親機ＣＰＵ６３へとそれぞれ伝送される。
【００３１】
さらに、居室親機５２ａ、５２ｂ、・・・５２ｎの親機ＣＰＵ６３は、制御装置５３からの画面データ信号に付加されている居室番号と自端末に予め割り当てられている居室番号とを照合し、当該居室番号が一致した場合にのみ同様に付加されている背景画面をモニタ６２に表示させることができる。ここでは、操作部６１にて設定変更操作が行われた居室親機５２ａの親機ＣＰＵ６３のみ当該居室番号が一致することにより、制御装置５３の背景画面蓄積部７１から読み出された背景画面をモニタ６２に表示させることができるとともに、このモニタ６２の起動時において、予め選択された背景画面による上述のメニュー画面を当該モニタに表示させることができる。
【００３２】
上述のように、本発明の第２の実施例によれば、居室親機５２ａ、５２ｂ、・・・５２ｎのモニタ６２に表示される背景画面を、住戸内の在室中の居住者により任意の背景画面へと設定変更できるばかりでなく、モニタ６２の起動時には、予め選択された背景画面で構成される上述のメニュー画面を当該モニタに表示させることができることから、色の判別が困難な例えば、色弱等の居住者であってもメニュー画面の確認が容易となり当該モニタの視認性が高められる。
【００３３】
なお、本発明の第１、第２の各実施例によれば、居室親機２ａ、２ｂ、・・・２ｎのモニタ１２および居室親機５２ａ、５２ｂ、・・・５２ｎのモニタ６２に表示される背景画面を、当該居室親機の背景画面蓄積部１３または制御装置５３の背景画面蓄積部７１から読み出した任意の背景画面で設定変更可能としたが、背景画面が蓄積される構成部は当該背景画面蓄積部に限定されず、居室親機２ａ、２ｂ、・・・２ｎ、５２ａ、５２ｂ、・・・５２ｎまたは制御装置３、５３に接続されるようなサーバを備え、このサーバに複数の背景画面を蓄積させる態様の実施例も好適とされる。
【００３４】
また、本発明の第１、第２の各実施例によれば、居室親機２ａ、２ｂ、・・・２ｎのモニタ１２および居室親機５２ａ、５２ｂ、・・・５２ｎのモニタ６２に表示される背景画面を、赤色、青色、黄色、白色、紫色等の単一または原色からなる背景画面で設定変更可能としたが、背景画面はこれに限定されず、デジタルカメラ等の外部撮像機器にて撮影された映像からなる背景画面も好適とされる。
【００３５】
【発明の効果】
以上の説明から明らかなように、本発明の集合住宅インターホンシステムによれば、制御装置により制御される集合玄関機および居室親機のうち、居室親機のモニタに表示される背景画面は、住戸内の在室中の居住者による操作部の操作を検出したＣＰＵの制御をもとに当該居室親機の背景画面蓄積部または制御装置の背景画面蓄積部から読み出される任意の背景画面へと設定変更できるばかりでなく、モニタの起動時には、操作部の操作により予め選択された背景画面で構成される呼出音量、輝度等の各種設定を行うためのメニュー画面をＣＰＵの制御により当該モニタに表示させることができることから、色の判別が困難な例えば、色弱等の居住者であってもメニュー画面の確認が容易となり当該モニタの視認性が高められる。
【図面の簡単な説明】
【図１】本発明の第１の実施例による集合住宅インターホンシステムの構成を示すブロック図である。
【図２】本発明の第２の実施例による集合住宅インターホンシステムの構成を示すブロック図である。
【符号の説明】
１、５１・・・・・集合玄関機
２ａ、２ｂ、・・・２ｎ、５２ａ、５２ｂ、・・・５２ｎ・・・・・居室親機
３、５３・・・・・制御装置
１１、６１・・・・・操作部
１２、６２・・・・・モニタ
１３、７１・・・・・背景画面蓄積部
１４、６３・・・・・ＣＰＵ（親機ＣＰＵ）
【図１】
2004247833.tif 000003
【図２】
2004247833.tif 000004